(57)【要約】【課題】車両用オートライト装置において、消灯用基準値と点灯用基準値をそれぞれ別個に調整する。【解決手段】車外照度に応じて予め設定された点灯基準値と消灯基準値に基づいてヘッドライトを自動的に点灯、消灯させる車両用オートライト装置１０において、  自動点灯時に手動消灯あるいは／及び自動消灯後に手動点灯がなされたことを検知する検知手段と、  前記検知手段からの検知信号を受信して、前記点灯基準値を手動消灯時の車外照度に応じて補正点灯基準値に切り替え、前記消灯基準値を手動点灯時の車外照度に応じて補正消灯基準値に切り替える切替手段とを備え、  前記手動点灯あるいは／及び手動消灯後における自動点灯および／または自動消灯の基準値は、前記補正点灯基準値、補正消灯基準値としていることを特徴とする。【選択図】図１
2009056905.tif 000002
【特許請求の範囲】
【請求項１】
車外照度に応じて予め設定された点灯基準値と消灯基準値に基づいてヘッドライトを自動的に点灯、消灯させる車両用オートライト装置において、
自動点灯時に手動消灯あるいは／及び自動消灯後に手動点灯がなされたことを検知する検知手段と、
前記検知手段からの検知信号を受信して、前記点灯基準値を手動消灯時の車外照度に応じて補正点灯基準値に切り替え、前記消灯基準値を手動点灯時の車外照度に応じて補正消灯基準値に切り替える切替手段とを備え、
前記手動点灯あるいは／及び手動消灯後における自動点灯および／または自動消灯の基準値は、前記補正点灯基準値、補正消灯基準値としていることを特徴とする車両用オートライト装置。
【請求項２】
前記補正点灯基準値は前記手動消灯時の車外照度より予め設定した補正照度の範囲で暗い照度に補正し、前記補正消灯基準値は前記手動点灯時の車外照度より予め設定した補正照度の範囲で明るい照度に補正している請求項１に記載の車両用オートライト装置。
【請求項３】
前記点灯基準値の前記補正点灯基準値への切替は、自動点灯時から所定時間内に手動消灯がなされた場合に行われ、
前記消灯基準値の前記補正消灯基準値への切替は、自動消灯時から所定時間内に手動点灯がなされた場合に行う設定としている請求項１または請求項２に記載の車両用オートライト装置。
【発明の詳細な説明】
【技術分野】
【０００１】
本発明は、車両用オートライト装置に関し、詳しくは、車外照度に応じて自動的にヘッドライト等を消灯、点灯するオートライト装置において、消灯用基準値と点灯用基準値を乗員の好みに応じてそれぞれ個別に調整するものである。
【背景技術】
【０００２】
従来より、自動車の車外照度に応じて自動車のヘッドライトおよびスモールライトを自動的に点灯、消灯させるオートライト装置が提案されている。
例えば、特開昭５８−２２１７３３号公報（特許文献１）で提案されている車両用ライト制御装置は、ライトが乗員により手動点灯された場合の車外照度を記憶し、該車外照度をオートライトモードでの自動点灯の基準車外照度に用いている。
【０００３】
該車両用ライト制御装置は、車外照度を検出する光センサと、車外照度を記憶するメモリと、ライトが手動点灯されたことを検出すると共に、自動点灯のための基準車外照度を設定し、車外照度と基準車外照度とを比較してライトを駆動するマイクロコンピュータを備えている。
【０００４】
ライトがマニュアルモードになっている場合、マイクロコンピュータは乗員が手動でライトを点灯または消灯したことを検知すると、光センサから車外照度を受信してメモリに記憶し、該車外照度を自動点灯のための点灯基準車外照度として設定している。ライトがオートライトモードになったときに、マイクロコンピュータは車外照度を点灯基準車外照度と比較し、車外照度が点灯基準車外照度以下となったことを判断すると、自動的にライトを点灯している。
また、マイクロコンピュータは、オートライトモード時にライトを自動消灯させる消灯用基準車外照度を設定しており、消灯用基準車外照度は点灯基準車外照度に一定値を加えたものとしている。
【０００５】
このように、特許文献１の車両用ライト制御装置は消灯用と点灯用の基準車外照度を別々に設定しているが、これは以下の理由による。
例えば車外照度が時間の経過と共に明から暗に変化する場合において、光センサが検出する照度は常に減少し続けるのではなく、増加と減少を繰り返しながら減少していく。図８は、車外照度を表す光センサの電圧値と時間の関係を示した説明図であり、光センサの電圧値はＡ領域のように増加と減少を繰り返す。このため、消灯用と点灯用の基準車外照度を同じ値とした場合、基準車外照度付近で光センサの電圧値が増加と減少を繰り返すとライトが点灯消灯を繰り返してしまう恐れがある。従って、消灯用と点灯用の基準車外照度を別々に設定している。
【０００６】
【特許文献１】特開昭５８−２２１７３３号公報
【発明の開示】
【発明が解決しようとする課題】
【０００７】
ライトの点灯、消灯に関しては、昼間から夕暮れになる場合などライトが消灯している状態から自動で点灯する点灯用の基準車外照度と、夜から朝になりライトが点灯している状態から自動で消灯する消灯用の基準車外照度は、乗員毎に好みが異なるため、乗員に合わせて調整することが望ましい。
【０００８】
しかし、特許文献１においては、消灯用と点灯用の基準車外照度を別々に設定しているが、消灯基準車外照度は点灯基準車外照度に一定値を加えたものとして設定しているだけであり、消灯基準車外照度は点灯用基準車外照度に応じて定められている。このため、点灯基準車外照度と消灯基準車外照度を独立して調整することができず、乗員の好みに合わせた基準車外照度に設定することができないという問題がある。
【０００９】
本発明は、前記問題に鑑みてなされたもので、車両用オートライト装置において、消灯用基準値と点灯用基準値をそれぞれ個別に調整することを課題としている。
【課題を解決するための手段】
【００１０】
前記課題を解決するため、本発明は、車外照度に応じて予め設定された点灯基準値と消灯基準値に基づいてヘッドライトを自動的に点灯、消灯させる車両用オートライト装置において、
自動点灯時に手動消灯あるいは／及び自動消灯後に手動点灯がなされたことを検知する検知手段と、
前記検知手段からの検知信号を受信して、前記点灯基準値を手動消灯時の車外照度に応じて補正点灯基準値に切り替え、前記消灯基準値を手動点灯時の車外照度に応じて補正消灯基準値に切り替える切替手段とを備え、
前記手動点灯あるいは／及び手動消灯後における自動点灯および／または自動消灯の基準値は、前記補正点灯基準値、補正消灯基準値としていることを特徴とする車両用オートライト装置を提供している。
【００１１】
本発明の車両用オートライト装置は、自動点灯基準値と自動消灯基準値を別々に備えており、切替手段は、特許文献１のように消灯基準値を点灯基準値に応じて定めるのではなく、手動消灯、手動点灯時の車外照度に応じて自動点灯基準値、自動消灯基準値をそれぞれ独立して補正基準値に切り替えている。このように、点灯基準値と消灯基準値をそれぞれ別々に調整することで、乗員の望む車外照度でヘッドライトを自動的に点灯、消灯させることができる。
【００１２】
具体的には、前記補正点灯基準値は前記手動消灯時の車外照度より予め設定した補正照度の範囲で暗い照度に補正し、前記補正消灯基準値は前記手動点灯時の車外照度より予め設定した補正照度の範囲で明るい照度に補正している。
この場合、前記点灯基準値の前記補正点灯基準値への切替は、自動点灯時から所定時間内に手動消灯がなされた場合に行われ、
前記消灯基準値の前記補正消灯基準値への切替は、自動消灯時から所定時間内に手動点灯がなされた場合に行う設定としている。
【００１３】
自動点灯時から所定時間内に手動消灯がなされた場合とは、車外照度の明から暗への移行時であってヘッドライトが消灯しているときに、車外照度が点灯基準値以下となりオートライト装置がヘッドライトを自動点灯したが、乗員は現在の照度ではまだヘッドライトを消灯しておきたいと考え、乗員がヘッドライトを手動操作で消灯した場合である。
このとき、オートライト装置は点灯基準値を手動消灯時の車外照度より暗い照度である補正点灯基準値に切り替えている。該補正点灯基準値への切り替えにより、以後、オートライト装置は車外照度が前記手動消灯時の車外照度よりも暗くなった状態でヘッドライトを自動点灯させることができる。
【００１４】
また、オートライト装置は乗員が前記手動消灯を行ったのち即座に補正点灯基準値への切り替えを行っている。このため、手動消灯後直ちにオートライトモードに戻すと、車外照度が手動消灯時からさらに暗くなった時点でヘッドライトを自動点灯させることができ、補正点灯基準値を即座に自動点灯に反映させることができる。
なお、オートライトモードとは、オートライト装置がヘッドライトの自動点灯又は自動消灯を行うことのできる状態である。
【００１５】
さらに、オートライト装置は、自動点灯時から手動消灯までの時間が所定時間内の場合に点灯基準値の切り替えを行っている。上記のようにオートライト装置がヘッドライトを自動点灯したが、乗員は現在の照度ではまだヘッドライトを消灯しておきたい状態においては、乗員はヘッドライトが自動点灯した後すぐに手動で消灯を行うと考えられる。このため、所定時間を設定することで、自動点灯した後他の要因でヘッドライトを手動消灯させた場合には点灯基準値の切り替えを行わないようにすることができる。
【００１６】
自動消灯時に所定時間内に手動点灯がなされた場合とは、車外照度の暗から明への移行時であってヘッドライトが点灯しているときに、車外照度が消灯基準値を超えて明るくなりオートライト装置がヘッドライトを自動消灯させたが、乗員は現在の照度ではまだヘッドライトを点灯させておきたいと考え、乗員がヘッドライトを手動操作で点灯させた場合である。
このとき、オートライト装置は消灯基準値を手動点灯時の車外照度より明るい照度である補正消灯基準値に切り替えている。補正消灯基準値への切り替えにより、以後、オートライト装置は車外照度が前記手動点灯時の車外照度よりも明るくなった状態でヘッドライトを自動消灯させることができる。
【００１７】
また、オートライト装置は乗員が前記手動点灯した後、即座に補正消灯基準値への切り替えを行っている。このため、手動点灯後直ちにオートライトモードに戻すと、車外照度が手動点灯時からさらに明るくなった時点でヘッドライトを自動消灯させることができ、補正消灯基準値を即座に自動消灯に反映させることができる。
さらに、自動消灯時から手動点灯までの時間が所定時間内の場合に消灯基準値の切り替えを行っている。オートライト装置がヘッドライトを自動消灯させたが、乗員は現在の照度ではまだヘッドライトを点灯させておきたい状態においては、乗員はすぐに手動で点灯を行うであろうと考えられ、所定時間を設定することで、他の要因でヘッドライトを手動点灯した場合には消灯基準値の切り替えを行わないようにしている。
【発明の効果】
【００１８】
前述したように、本発明の車両用オートライト装置によれば、点灯基準値と消灯基準値を別々に備え、切替手段は点灯基準値と消灯基準値をそれぞれ独立して補正基準値に切り替えているため、点灯基準値と消灯基準値をそれぞれ別々に調整して、乗員の望む車外照度でヘッドライトを自動的に点灯、消灯させることができる。
また、自動点灯時から所定時間内に手動消灯がなされた場合には、オートライト装置は乗員が前記手動消灯を行ったのち即座に補正点灯基準値への切り替えを行っており、手動消灯後直ちにオートライトモードに戻すと、車外照度が手動消灯時からさらに暗くなった時点でヘッドライトを自動点灯させることができ、補正点灯基準値を即座に自動点灯に反映させることができる。
同様に、自動消灯時から所定時間内に手動点灯がなされた場合には、手動点灯後直ちにオートライトモードに戻すと、車外照度が手動点灯時からさらに明るくなった時点でヘッドライトを自動消灯させることができ、補正消灯基準値を即座に自動消灯に反映させることができる。
【発明を実施するための最良の形態】
【００１９】
本発明の実施形態を図面を参照して説明する。
図１乃至図７は本発明の第１実施形態を示す。
本発明の車両用オートライト装置１０は、自動車において、車外照度に応じて予め設定された点灯基準値と消灯基準値に基づいてヘッドライト１４を自動的に点灯、消灯させるものである。
図１に示すように、車両用オートライト装置１０は、制御装置１６と、照度センサ１２と、ライティングスイッチ１３と、ヘッドライト１４及びスモールライト１５を備えている。
【００２０】
照度センサ１２は制御装置１６と接続しており、車外照度を電圧値として制御装置１６に出力している。
ライティングスイッチ１３は、図２に示すように、「オフ」「スモールライト」「オートライト」「ヘッドライト」のポジションを切り替えており、信号線１９を介して制御装置１６と接続している。信号線１９は、「オフ」「スモールライト」「オートライト」「ヘッドライト」のポジションごとに設けた４本の信号線１９からなる。また、ライティングスイッチ１３はバッテリ１１と接続しており、ポジションの切り替えに応じてバッテリ１１と各ポジションの信号線１９とを接続して制御装置１６とバッテリ１１を接続し、ライティングスイッチ１３がいずれのポジションにあるかを制御装置１６に知らせている。
【００２１】
制御装置１６は、切替手段及び検知手段を構成するＣＰＵからなる制御部１７と、ＲＯＭ、ＲＡＭ、不揮発性メモリなどからなる記憶部１８からなる。
制御部１７はライティングスイッチ１３からポジションを示す信号を受け取ると、所定のライトの点灯／消灯を行う。詳細には、ライティングスイッチ１３がスモールライトポジションの場合には、スモールライト１５を点灯、ヘッドライト１４を消灯し、ヘッドライトポジションの場合にはスモールライト１５とヘッドライト１４を点灯する。また、オフポジションの場合にはスモールライト１５とヘッドライト１４を消灯し、オートライトポジションの場合には、照度センサ１２からの車外照度に基づいて自動的にヘッドライト１４及びスモールライト１５を消灯または点灯する。
また、ライティングスイッチ１３がオートライトポジションである場合には、後述するように点灯基準値と消灯基準値を補正する。
なお、制御装置１６は自動車の電子制御ユニット内に設けてもよく、この場合、制御部１７及び記憶部１８は電子制御ユニットのＣＰＵ及びＲＯＭ等と兼用できる。
【００２２】
記憶部１８は、ライティングスイッチ１３のオートライトポジション時に、点灯基準値と消灯基準値を補正するための照度テーブルＴを記憶している。
図３は照度テーブルＴの例であり、消灯用テーブルＴｏｆｆと点灯用テーブルＴｏｎを別々に備えている。消灯用テーブルＴｏｆｆは、消灯基準値と照度の異なる複数の補正消灯基準値を備えており、補正消灯基準値は予め設定した補正照度の範囲内で、消灯基準値よりも明るい照度及び暗い照度としている。
点灯用テーブルＴｏｎも、消灯用テーブルＴｏｆｆと同様に、点灯基準値と照度の異なる複数の補正点灯基準値を備えており、補正点灯基準値は予め設定した補正照度の範囲内で、点灯基準値よりも明るい照度及び暗い照度としている。
【００２３】
図３では、点灯基準値と消灯基準値、補正点灯基準値と補正消灯基準値を、照度センサ１２が制御部１７に入力する電圧値で記載しており、値が大きいほど明るい照度であることを示している。消灯用テーブルＴｏｆｆでは、消灯基準値を３５０ｍＶとし、明るい照度の補正消灯基準値３、４として、３６０ｍＶ，３７０ｍＶ，暗い照度の補正消灯基準値２、１として３４０、３３０ｍＶを設定している。
同様に、点灯用テーブルＴｏｎでは、点灯基準値を１５０ｍＶとし、明るい照度の補正点灯基準値３、４として、１６０ｍＶ，１７０ｍＶ，暗い照度の補正点灯基準値２、１として１４０、１３０ｍＶを設定している。
【００２４】
消灯基準値と点灯基準値は同じ値とはせず、消灯基準値が点灯基準値より大きくなるような異なる値を設定している。同じ値とすると、オートライトポジション時に、照度センサ１２の電圧値が消灯基準値周辺を前後する値を取る場合に、ヘッドライト１４が消灯と点灯を繰り返す恐れがあるからである。なお、以下、ヘッドライト１４の点灯及び消灯とは、スモールライト１５とヘッドライト１４の点灯及び消灯を示す。
なお、補正点灯基準値、補正消灯基準値は予め点灯用テーブルＴｏｎ、消灯用テーブルＴｏｆｆに記憶せず、補正を行う度に制御部１７で演算して求めてもよい。
【００２５】
次に、ライティングスイッチ１３がオートライトポジションにある場合に、制御部１７による消灯基準値、点灯基準値の補正点灯基準値、補正点灯基準値への切り替えについて説明する。
消灯基準値、点灯基準値の切り替えには４つのケースがあり、図４に各ケースの切り替え内容と切り替え条件を示している。
【００２６】
ケース１は、ヘッドライト１４の自動消灯時から所定時間内に、乗員が手動でライティングスイッチ１３のポジションを「ヘッドライト」としてヘッドライト１４を点灯させた場合である。車外照度は暗から明へ移行しており、制御部１７は車外照度が消灯基準値を超えて明るくなったためヘッドライト１４を自動消灯させたが、乗員は現在の照度ではまだヘッドライト１４を点灯させておきたいと考え、手動操作で点灯させた状態を想定している。
【００２７】
このとき、制御部１７は、消灯テーブルを用いて消灯基準値を手動点灯時の車外照度より明るい補正消灯基準値へ切り替えている。例えば、図３（Ａ）の消灯用テーブルＴｏｆｆでは、消灯基準値よりも明るい補正消灯基準値として補正消灯基準値３と補正消灯基準値４を備えており、このうち、手動点灯時の車外照度と比較して明るい補正消灯基準値を選択する。どちらの補正消灯基準値も手動点灯時の車外照度より明るい場合は、消灯基準値に近い明るさの補正消灯基準値３を選択する。
補正消灯基準値への切り替えにより、次にライティングスイッチ１３がオートライトポジションとなったときには、ヘッドライト１４は車外照度がより明るくなった状態で自動消灯する。
【００２８】
ケース２は、ヘッドライト１４の自動点灯時から所定時間経過後に、乗員が手動でライティングスイッチ１３のポジションを「オフ」としてヘッドライト１４を消灯させた場合である。車外照度は暗から明へ移行しており、制御部１７は車外照度が消灯基準値以下であるためヘッドライト１４の自動点灯を所定時間以上継続させていたが、乗員は現在の照度ではヘッドライト１４を消灯したいと考え、手動操作で消灯を行った状態を想定している。
【００２９】
このとき、制御部１７は消灯テーブルを用いて消灯基準値を次に暗い照度である補正消灯基準値２へ切り替えている。補正消灯基準値２への切り替えにより、次にライティングスイッチ１３がオートライトポジションとなったときには、ヘッドライト１４は車外照度がより暗い状態で自動消灯する。
なお、ケース２では、補正消灯基準値は手動消灯時の車外照度より暗い照度である必要はなく、予め消灯テーブルに定めた補正消灯基準値を用いている。また、手動消灯時の車外照度を補正消灯基準値としてもよい。
【００３０】
ケース３は、ヘッドライト１４の自動消灯時から所定時間経過後に、乗員が手動でライティングスイッチ１３のポジションを「ヘッドライト１４」としてヘッドライト１４を点灯させた場合である。車外照度は明から暗へ移行しており、制御部１７は車外照度が点灯基準値以上であるためヘッドライト１４の自動消灯を所定時間以上継続させていたが、乗員は現在の照度ではヘッドライト１４を点灯したいと考え、手動操作で点灯を行った状態を想定している。
【００３１】
このとき、制御部１７は点灯テーブルを用いて点灯基準値をより明るい照度である補正点灯基準値３へ切り替えている。補正点灯基準値３への切替により、次にライティングスイッチ１３がオートライトポジションとなったときには、ヘッドライト１４は車外照度がより明るい状態で自動点灯する。
なお、ケース３においても、補正点灯基準値は手動点灯時の車外照度より明るい照度である必要はなく、予め点灯テーブルに定めた補正点灯基準値を用いている。また、手動点灯時の車外照度を補正点灯基準値としてもよい。
【００３２】
ケース４は、ヘッドライト１４の自動点灯時から所定時間内に、乗員が手動でライティングスイッチ１３のポジションを「オフ」としヘッドライト１４を消灯させた場合である。車外照度は明から暗へ移行しており、制御部１７は車外照度が点灯基準値以下となったので、車両用オートライト装置１０がヘッドライト１４を自動点灯したが、乗員は現在の照度ではまだヘッドライト１４を消灯しておきたいと考え、手動操作で消灯を行った状態を想定している。
【００３３】
このとき、制御部１７は点灯テーブルを用いて点灯基準値を手動消灯時の車外照度より暗い補正点灯基準値へ切り替えている。図３（Ｂ）の点灯用テーブルＴｏｎの例では、点灯基準値よりも暗い補正点灯基準値として補正点灯基準値２と補正点灯基準値１を備えているが、このうち、手動消灯時の車外照度より暗い補正点灯基準値を選択する。どちらも手動消灯時の車外照度より暗い場合は、点灯基準値に近い明るさの補正点灯基準値２を選択する。
補正点灯基準値への切替により、次にライティングスイッチ１３がオートライトポジションとなったときには、ヘッドライト１４は車外照度がより暗くなった状態で自動点灯する。
【００３４】
ケース１からケース４の所定時間は、本実施形態では３分以上７分以下が好ましく、本実施形態では５分としている。
さらに、消灯基準値、点灯基準値の切替は、車外照度が所定の範囲にある場合に行っており、所定の範囲とは、車両用オートライト装置１０が動作してヘッドライト１４の点灯または消灯が行われる程度の照度の範囲である。例えば、昼間に自動消灯しているときに、パッシングライトやライトチェックなどのために手動点灯した場合や、夜間に自動点灯しているときにコンビニエンスストアなど明るい場所に駐車して手動消灯した場合など、昼間または夜間に一時的に手動点灯または手動消灯した場合には、車両用オートライト装置１０が消灯基準値、点灯基準値の切替を行わないようにするため、照度の範囲を設定している。
【００３５】
自動車の出荷時には、車両用オートライト装置１０は、ライティングスイッチ１３がオートライトポジションとなると、消灯基準値及び点灯基準値を用いてヘッドライト１４の点灯または消灯を行うように設定されている。消灯基準値及び点灯基準値を補正消灯基準値、補正点灯基準値に切り替えた場合には、補正消灯基準値、補正点灯基準値が記憶部に記憶され、車両用オートライト装置はイグニッションキーが挿入されるたびに記憶部から補正消灯基準値、補正点灯基準値を読み出して使用する。
【００３６】
次に、車両用オートライト装置１０の動作について説明する。
まず、車両用オートライト装置１０によってヘッドライト１４が自動点灯または自動消灯する場合の動作を図５のフローチャートを用いて説明する。
ステップＳ１０では、ライティングスイッチ１３がオートライトポジションにあるか否かを判断している。オートライトポジションにある場合はステップＳ１１に進む。オートライトポジションにない場合はステップＳ１０を繰り返す。
ステップＳ１１では、現在のヘッドライト１４の状態を判断している。ヘッドライト１４が点灯している場合はステップＳ１２に進み、ヘッドライト１４が消灯している場合はステップＳ１６に進む。
【００３７】
ステップＳ１２では、制御装置１６の制御部１７は照度センサ１２から車外照度を取得している。
ステップＳ１３では、制御部１７は、記憶部１８に記憶した消灯用テーブルＴｏｆｆの消灯基準値と車外照度を比較している。車外照度が消灯基準値以上の場合にはステップＳ１４に進む。車外照度が消灯基準値より小さい場合には、ステップＳ１２に戻る。
ステップＳ１４では、制御部１７はヘッドライト１４を自動消灯している。
ステップＳ１５では、制御部１７は自動消灯時からの時間を計測している。
【００３８】
ステップＳ１６では、制御装置１６の制御部１７は照度センサ１２から車外照度を取得している。
ステップＳ１７では、制御部１７は、記憶部１８に記憶した点灯用テーブルＴｏｎの点灯基準値と車外照度を比較している。車外照度が点灯基準値以下の場合にはステップＳ１４に進む。車外照度が点灯基準値より大きい場合には、ステップＳ１２に戻る。
ステップＳ１８では、制御部１７はヘッドライト１４を自動点灯している。
ステップＳ１９では、制御部１７は自動消灯時からの時間を計測している。
【００３９】
次に、自動点灯時の点灯基準値、消灯基準値の切り替えの動作を図６のフローチャートを用いて説明する。図６は図５のステップＳ１５の続きである。
ステップＳ２０では、制御部１７は、乗員が手動操作でライティングスイッチ１３をヘッドライトポジションとしたか、即ち手動操作で点灯させたか否かを判断している。手動操作で点灯させた場合はステップＳ２１に進む。点灯させていない場合はステップＳ２１を繰り返す。
ステップＳ２１では、制御部１７は照度センサ１２から車外照度を取得している。
ステップＳ２２では、制御部１７は取得した車外照度が所定の範囲内にあるか否かを判断している。所定の範囲内にある場合はステップＳ２３に進む。範囲外の場合はフローチャートを終了する。
【００４０】
ステップＳ２３では、制御部１７はステップＳ１５で計測した自動消灯時から手動点灯までの時間が所定時間以上経過したか否かを判断している。所定時間以上経過している場合はステップＳ２４に進み、所定時間内である場合はステップＳ２５に進む。
ステップＳ２４では、制御部１７は記憶部１８に記憶した点灯用テーブルＴｏｎを用いて、点灯基準値をより明るい照度である補正点灯基準値に切り替えている。例えば、図３（Ｂ）の点灯用テーブルＴｏｎを用いている場合、点灯基準値より１段階明るい照度である補正点灯基準値３に切り替えている。即ち、ステップＳ２４は前述したケース３に相当する。
【００４１】
ステップＳ２５では、制御部１７は記憶部１８に記憶した消灯用テーブルＴｏｆｆを用いて、消灯基準値をより明るい照度である補正消灯基準値に切り替えている。このとき、制御部１７はステップＳ２１で取得した車外照度より明るい補正消灯基準値を選択している。例えば、図３（Ａ）の消灯用テーブルＴｏｆｆを用いている場合、車外照度を示す照度センサ１２の電圧値が１６５ｍＶであれば、消灯基準値より明るい補正消灯基準値３、補正消灯基準値４を車外照度と比較し、車外照度より明るい照度である１７０ｍＶの補正消灯基準値４を選択している。即ち、ステップＳ２５は前述したケース１に相当する。
【００４２】
次に、自動消灯時の点灯基準値、消灯基準値の補正の動作を図７のフローチャートを用いて説明する。図７は図５のステップＳ１９の続きである。
ステップＳ３０では、制御部１７は、乗員が手動操作でライティングスイッチ１３をオフポジションとしたか、即ち手動操作で消灯させたか否かを判断している。手動操作で消灯させた場合はステップＳ２１に進む。消灯させていない場合はステップＳ３１を繰り返す。
ステップＳ３１では、制御部１７は照度センサ１２から車外照度を取得している。
ステップＳ３２では、制御部１７は取得した車外照度が所定の範囲内にあるか否かを判断している。所定の範囲内にある場合はステップＳ３３に進む。範囲外の場合はフローチャートを終了する。
【００４３】
ステップＳ３３では、制御部１７はステップＳ１９で計測した自動点灯時から手動消灯までの時間が所定時間以上経過したか否かを判断している。所定時間以上経過している場合はステップＳ３４に進み、所定時間内である場合はステップＳ３５に進む。
ステップＳ３４では、制御部１７は記憶部１８に記憶した消灯用テーブルＴｏｆｆを用いて、消灯基準値をより暗い照度である補正消灯基準値２に切り替えている。例えば、図３（Ａ）の消灯用テーブルＴｏｆｆを用いている場合、点灯基準値より１段階暗い照度である補正消灯基準値２に切り替えている。即ち、ステップＳ３４は前述したケース２に相当する。
【００４４】
ステップＳ３５では、制御部１７は記憶部１８に記憶した点灯用テーブルＴｏｎを用いて、点灯基準値をより暗い照度である補正点灯基準値に切り替えている。このとき、制御部１７はステップＳ３１で取得した車外照度より暗い補正点灯基準値を選択している。例えば、図３（Ｂ）の点灯用テーブルＴｏｎを用いている場合、点灯基準値より暗い補正点灯基準値２、補正点灯基準値１を車外照度と比較し、車外照度を示す照度センサ１２の電圧値が１４５ｍＶであれば、点灯基準値により近い照度である補正点灯基準値２を選択している。即ち、ステップＳ２５は前述したケース４に相当する。
【００４５】
ライティングスイッチ１３が再びオートライトポジションとなった場合には、これら切り替えた補正点灯基準値または補正消灯基準値を用いて、図５のフローチャートに示す動作でヘッドライト１４の自動点灯または自動消灯を行う。補正点灯基準値または補正消灯基準値をさらに補正する必要がある場合には、図６、図７のフローチャートに示す動作で補正点灯基準値または補正消灯基準値を切り替える。
【００４６】
本発明によれば、点灯基準値と消灯基準値を別々に備え、切替手段である制御部１７は点灯基準値と消灯基準値をそれぞれ独立して補正基準値に切り替えているので、点灯基準値と消灯基準値をそれぞれ別々に調整して、乗員の望む車外照度でヘッドライト１４を自動的に点灯、消灯させることができる。
【００４７】
また、自動点灯時から所定時間内に手動消灯がなされた場合、乗員が手動操作でライティングスイッチ１３をオフにした後すぐにオートライトポジションに戻せば、車両用オートライト装置１０は新たな補正点灯基準値を次の自動点灯に即座に反映させることができ、車外照度がさらに暗くなった時点で、該補正点灯基準値を用いてヘッドライト１４を自動点灯させることができる。
同様に、自動消灯時から所定時間内に手動点灯がなされた場合も、乗員が手動点灯した後すぐにライティングスイッチ１３をオートライトポジションに戻すことで、車両用オートライト装置１０は新たに補正された補正消灯基準値を即座に次の自動消灯に反映させることができる。
【図面の簡単な説明】
【００４８】
【図１】本発明である車両用オートライト装置の第１実施形態を示す構成図である。
【図２】ライティングスイッチの構成図である。
【図３】照度テーブルの例を示し、（Ａ）は消灯用テーブルの例、（Ｂ）は点灯用テーブルの例である。
【図４】点灯基準値と消灯基準値の切り替えの説明図である。
【図５】車両用オートライト装置の自動点灯時または自動消灯時の動作を示すフローチャートである。
【図６】自動点灯時の点灯基準値、消灯基準値の補正の動作を示すフローチャートである。
【図７】自動消灯時の点灯基準値、消灯基準値の補正の動作を示すフローチャートである。
【図８】従来例を示す図である。
【符号の説明】
【００４９】
１０  車両用オートライト装置
１２  照度センサ
１４  ヘッドライト
１５  スモールライト
１６  制御装置
Ｔｏｎ  点灯用テーブル
Ｔｏｆｆ  消灯用テーブル
【図１】
2009056905.tif 000003
【図２】
2009056905.tif 000004
【図３】
2009056905.tif 000005
【図４】
2009056905.tif 000006
【図５】
2009056905.tif 000007
【図６】
2009056905.tif 000008
【図７】
2009056905.tif 000009
【図８】
2009056905.tif 000010